(57)【特許請求の範囲】
【請求項１】
開閉軸と、該開閉軸に対し直交して配置された回転軸と、該回転軸に固着されたロック板と、該ロック板の縁部に形成された平坦部と、前記開閉軸に固着された回転規制カム板と、該回転規制カム板に形成され前記開閉軸の回転により前記ロック板の平坦部に沿って接し得る第１のカム部と、前記回転規制カム板に形成され前記第１のカム部が前記ロック板の平坦部から離れた状態のとき前記ロック板の板面に沿って接し得る第２のカム部と、を備えたことを特徴とするヒンジ装置。
【発明の詳細な説明】
【０００１】
【発明の属する技術分野】
本発明は、回転規制機能を備えたヒンジ装置に関するものである。
【０００２】
【従来の技術】
小型の液晶ディスプレイ板を備えたディジタル・カメラにおいては、液晶ディスプレイ板が開閉軸を中心に回転してカメラ本体に対し開閉し、さらに開閉軸と直交する方向の回転軸を中心に回転できるようにされている。
【０００３】
【発明が解決しようとする課題】
このような直交する方向の開閉軸と回転軸とを中心に回転できるようにした液晶ディスプレイ板を備えたディジタル・カメラ等のヒンジ装置においては、液晶ディスプレイ板が回転軸を中心に回転して傾いた斜めの状態で閉じると、液晶ディスプレイ板の角部がカメラ本体に干渉し、液晶ディスプレイ板の角部や接触を受けたカメラ本体の側面に大きい力が掛り、液晶ディスプレイ板やカメラ本体を破損してしまう問題があった。
【０００４】
本発明はこのような問題を解消し、ヒンジ装置で結合されている液晶ディスプレイ板等の一方の部材が、カメラ本体等の他方の部材に対しある設定された角度範囲内の回転角度にある場合にのみ開閉できるようにしたヒンジ装置を提供することを目的とするものである。
【０００５】
【課題を解決するための手段】
本発明は、開閉軸と、該開閉軸に対し直交して配置された回転軸と、該回転軸に固着されたロック板と、該ロック板の縁部に形成された平坦部と、前記開閉軸に固着された回転規制カム板と、該回転規制カム板に形成され前記開閉軸の回転により前記ロック板の平坦部に沿って接し得る第１のカム部と、前記回転規制カム板に形成され前記第１のカム部が前記ロック板の平坦部から離れた状態のとき前記ロック板の板面に沿って接し得る第２のカム部と、を備えたことを特徴とするヒンジ装置に係るもので、開閉軸の回転により回転規制カム板の第１のカム部がロック板の平坦部に沿って接した時には、回転軸は回転できなくなり、開閉軸の回転により回転規制カム板の第１のカム部がロック板の平坦部から離れた状態の時には回転軸は回転可能となり、回転軸を回転させると回転規制カム板の第２のカム部がロック板の板面に沿って接した状態になり、開閉軸は回転できなくなる。
【０００６】
【発明の実施の形態】
以下、本発明の実施形態の一例を説明する。
【０００７】
図１は本発明の実施の形態の一例を示す斜視図、図２は図１の平面図であって、図１に示すように１対の開閉軸１，１が鉛直方向の１つの直線上に位置するように上下に配置されており、上方の開閉軸１の下端と下方の開閉軸１の上端との間には、間隔があいている。
【０００８】
そして上方の開閉軸１の上部と下方の開閉軸１の下部には、図示しないディジタル・カメラの液晶ディスプレイ板等の一方の部材の上部と下部とが固着されていて、この一方の部材と共に、上下１対の開閉軸１，１はその軸心を回転中心として一体的に回転するようになっている。
【０００９】
上述した開閉軸１に対し直交する方向に回転軸２が配置されていて、この回転軸２の左端部は、上方の開閉軸１の下端と下方の開閉軸１の上端との間の間隔内に臨んでいる。そして回転軸２の右端部には、図示しないディジタル・カメラの本体等の他方の部材が固着されていて、回転軸２はその軸心を回転中心として他方の部材と共に回転するようになっている。
【００１０】
この回転軸２の左端部にはロック板３が固着されている。ロック板３の対向する縁部には１対の平坦部４，４が平行に形成されていてロック板３の幅が狭くなっており、図１、図２に示す状態では、１対の平坦部４，４は水平状態になっている。またロック板３の右側には、突出部５が形成されている。
【００１１】
前述した上方の開閉軸１の下端と下方の開閉軸１の上端とには、それぞれ回転規制カム板６，６が固着されている。
【００１２】
上方の開閉軸１の下端に固着されている回転規制カム板６と下方の開閉軸１の上端に固着されている回転規制カム板６とは上下対称の形状になっていて、それぞれ第１のカム部７と第２のカム部８とが、開閉軸１の中心に対し９０度の位相をおいて上下で向き合うように形成されている。
【００１３】
開閉軸１の軸心を中心としてロック板３の裏側の板面に接する仮想円９を想定したとき、第１のカム部７は、図２に示すように仮想円９の外側に沿うように形成されていて、図１、図２の状態では、上下の回転規制カム板６，６の第１のカム部７，７がロック板３の平坦部４，４を挟んだ状態で平坦部４，４に沿って接している。
【００１４】
第２のカム部８は、その表面側の中心部が図２に示すように仮想円９に外接する真っ直ぐな形状に形成されていて、図１、図２の状態では、回転軸２の軸心と平行するようになっている。
【００１５】
次に、上述した装置の作用を説明する。
【００１６】
図１、図２は、回転軸２に固着されているディジタル・カメラの本体等の他方の部材に対し、開閉軸１，１に固着されている液晶ディスプレイ板等の一方の部材が閉じて接している時のヒンジ装置の状態を示している。
【００１７】
この状態の時には、仮想円９の外側に沿うように形成されている回転規制カム板６，６の第１のカム部７，７がロック板３の平坦部４，４を上下から挟んだ状態で平坦部４，４に沿って接しているため、ロック板３並びに回転軸２は回転軸２の軸心を中心とする回転ができない状態に拘束されている。
【００１８】
この図１、図２の状態では開閉軸１，１の回転は拘束されていないため、開閉軸１，１の軸心を中心として開閉軸１，１と共に液晶ディスプレイ板等の一方の部材を回転して、ディジタル・カメラの本体等の他方の部材に対し、液晶ディスプレイ板等の一方の部材を水平方向に開くことができる。
【００１９】
この操作によって、開閉軸１，１が図２において時計方向に９０度回転すると、回転規制カム板６，６も開閉軸１，１と共に時計方向に９０度回転し、第１のカム部７はロック板３の平坦部４から側方へ離れ、代わって仮想円９に外接するように形成されている第２のカム部８，８の表面側が図４に示すようにロック板３の裏側の板面の上下延長面上に位置するようになる。
【００２０】
第１のカム部７がロック板３の平坦部４から離れると、ロック板３並びに回転軸２は、回転軸２の軸心を中心として回転できる状態になるため、図３に示すように回転軸２を回転させ、回転軸２に固着されているディジタル・カメラの本体等の他方の部材を、開閉軸１，１に固着されている液晶ディスプレイ板等の一方の部材に対して回転することが可能となり、一方の部材と他方の部材との間の図３における上下方向の相対角度を変えることができるようになる。
【００２１】
回転軸２が例えば時計方向に回転すると、ロック板３も回転軸２と共に時計方向に回転して、図３に示す状態になる。
【００２２】
この状態では、第２のカム部８，８の表面側がロック板３の裏側の板面に沿って接した状態になるため、回転規制カム板６，６並びに開閉軸１，１は、開閉軸１の軸心を中心とする回転ができない状態に拘束され、ディジタル・カメラの本体等の他方の部材に対する液晶ディスプレイ板等の一方の部材の水平方向の開き角度が固定されることになる。
【００２３】
この図３、図４に示す状態において回転軸２の回転角度を規制するため、図示しないが開閉軸１に固着されている液晶ディスプレイ板等の一方の部材に突起を２箇所設け、その突起にロック板３の突出部５が当接するようにすれば、ロック板３の回動範囲は２箇所の突起の間に限られるため、回転軸２の回転角度を規制することができる。
【００２４】
【発明の効果】
本発明は、開閉軸の回転位置によって回転軸の回転を拘束することができ、また開閉軸が特定の回転位置にある時には回転軸の回転によって開閉軸の回転を拘束することができるため、直交する方向の開閉軸と回転軸とを中心に回転できるようにした液晶ディスプレイ板を備えたディジタル・カメラ等において、液晶ディスプレイ板が回転軸を中心にして傾いた斜めの状態で閉じないようにすることができ、破損を防止できる効果がある。
【図面の簡単な説明】
【図１】本発明の実施の形態の一例を示す斜視図である。
【図２】図１の平面図である。
【図３】図１とは異なる状態を示す斜視図である。
【図４】図３の平面図である。
【符号の説明】
１  開閉軸
２  回転軸
３  ロック板
４  平坦部
６  回転規制カム板
７  第１のカム部
８  第２のカム部
【図１】
0004079389.tif 000002
【図２】
0004079389.tif 000003
【図３】
0004079389.tif 000004
【図４】
0004079389.tif 000005